(57)【要約】      （修正有）【課題】プラグ刃の角度の調節を可能にし、他のコンセントを塞がないようにする電源プラグを提供する。【解決手段】上記の電源プラグは主として、ハウシング本体１０と回転部材２０と、位置決め蓋４０とプラグ部材３０と、基板５０とにより構成する。位置決めリング２６は、回転部材２０における回転部材本体２１の外周壁に設けられ、位置決め部材１２４に係合するために、間隔をおいて複数の凹入部が形成される。該回転部材本体２１が収容穴１２に取り付けられる時には、該凹入部が位置決め部材１２４と対応することから、強固に係合することができる。故に、回転可能に該収容穴１２に設けられる回転部材本体２１を所定の角度又は方向に係止することができる。プラグ部材３０は、連結部３２と、複数のプラグ刃３４とを備え、該連結部３２は夫々、リード２４４を挿入するための複数の貫通孔３２２を有し、その一部が接続孔２３に挿入される。【選択図】図１
0003149993.tif 000002
【実用新案登録請求の範囲】
【請求項１】
ハウシング本体と、着脱可能に該ハウシング本体に結合される上蓋と、該ハウシング本体を貫通する円筒状の収容穴とを備えるハウシングと、
回転可能に前記収容穴に設置される回転部材本体と、該回転部材本体の底部における軸心の位置に穿設される接続孔と、間隔をおいて絶縁状態で該回転部材本体の上部に設けられる複数の電気接続部材とを備え、該各電気接続部材は、回転部材本体の上部を貫通し、該接続孔に挿入されるリードと、接触部を有すると共に、該回転部材本体の外周壁に向かって延出するアームとを有するものであり、該各電気接続部材のリードは互いに絶縁状態で平行であり、前記複数の電気接続部材のアームの接触部が、前記回転部材本体の上部における軸心の位置と互いに異なる距離を有するものである回転部材と、
蓋本体と、同心円を構成するように、該蓋本体に設置されると共に、夫々前記電気接続部材の接触部と対応的に電気接続され、互いに異なる半径を有する複数の電極接触プレートとを備える位置決め蓋と、
前記各リードが挿入される複数の貫通孔を有し、その一部が前記接続孔に挿入される連結部と、間隔をおいて絶縁状態で配置されると共に、夫々前記貫通孔に対応的に挿入され、前記リードと電気接続される複数のプラグ刃を備えるプラグ部材と、を有することを特徴とする電源プラグ。
【請求項２】
前記収容穴は、その内周壁における上端近傍に凹設される位置決め溝と、該位置決め溝に設けられると共に、一部が該収容穴の内周壁から内部へ向かって突出する位置決め部材とを備えるものであり、
前記回転部材は、前記回転部材本体の外周壁に設けられ、前記位置決め部材に係合するために、間隔をおいて複数の凹入部が形成された位置決めリングを備えることを特徴とする請求項１に記載の電源プラグ。
【請求項３】
前記各電極接触プレートが有する、前記蓋本体を貫通する電気接続突出部に電気接続される基板を有することを特徴とする請求項１又は請求項２に記載の電源プラグ。
【請求項４】
前記基板は、変圧回路、安定回路又は整流回路を有することを特徴とする請求項３に記載の電源プラグ。
【請求項５】
２つの電気接続部材と、２つの電極接触プレートと、２つのプラグ刃と、２つの貫通孔とを有することを特徴とする請求項３に記載の電源プラグ。
【請求項６】
３つの電気接続部材と、３つの電極接触プレートと、３つのプラグ刃と、３つの貫通孔とを有することを特徴とする請求項３に記載の電源プラグ。 
【考案の詳細な説明】
【技術分野】
【０００１】
本考案は、特に角度を調節することができる電源プラグに関するものである。
【背景技術】
【０００２】
グローバリゼーションの進展に伴ない、人々は各国を頻繁に行き来するようになったが、各国の電源プラグやコンセントの標準規格は互いに異なるので、外国において電気製品を使用する観光客やビジネスマンにとっては、非常に不便である。
【０００３】
電気設備を各国のコンセントに適用できるようにするため、現在ではアダブターが販売されている。
【考案の概要】
【考案が解決しようとする課題】
【０００４】
しかしながら、従来のアダブターは、例えば、異なる電圧に適用させなければならないことから、体積は大きいのみならず、角度を調節することもできないので、使い勝手が非常に悪かった。更に、これら従来のアダブターは、隣のコンセントを塞いでしまうこともあり、このような場合には、他の電気製品が電源に接続できなくなり、電気製品の本来の電源プラグを取り外さなくてはならないこともあった。故に、従来のアダブターは、実用性に優れないという問題があった。
【０００５】
そこで、案出されたのが本考案であって、回転可能な連結部材と、各規格のプラグ刃に交換することができるプラブ部材とを有し、好適なプラグ部材の使用及びプラグ刃の角度の調節が可能であり、他のコンセントを塞ぐことがない電源プラグを提供することを目的としている。
【課題を解決するための手段】
【０００６】
本願の請求項１の考案は、ハウシング本体と、着脱可能に該ハウシング本体に結合される上蓋と、該ハウシング本体を貫通する円筒状の収容穴とを備えるハウシングと、
回転可能に前記収容穴に設置される回転部材本体と、該回転部材本体の底部における軸心の位置に穿設される接続孔と、間隔をおいて絶縁状態で該回転部材本体の上部に設けられる複数の電気接続部材とを備え、該各電気接続部材は、回転部材本体の上部を貫通し、該接続孔に挿入されるリードと、接触部を有すると共に、該回転部材本体の外周壁に向かって延出するアームとを有するものであり、該各電気接続部材のリードは互いに絶縁状態で平行であり、前記複数の電気接続部材のアームの接触部が、前記回転部材本体の上部における軸心の位置と互いに異なる距離を有するものである回転部材と、
蓋本体と、同心円を構成するように、該蓋本体に設置されると共に、夫々前記電気接続部材の接触部と対応的に電気接続され、互いに異なる半径を有する複数の電極接触プレートとを備える位置決め蓋と、
前記各リードが挿入される複数の貫通孔を有し、その一部が前記接続孔に挿入される連結部と、間隔をおいて絶縁状態で配置されると共に、夫々前記貫通孔に対応的に挿入され、前記リードと電気接続される複数のプラグ刃を備えるプラグ部材と、を有することを特徴とする電源プラグ、を提供する。
【０００７】
本願の請求項２の考案は、前記収容穴は、その内周壁における上端近傍に凹設される位置決め溝と、該位置決め溝に設けられると共に、一部が該収容穴の内周壁から内部へ向かって突出する位置決め部材とを備えるものであり、
前記回転部材は、前記回転部材本体の外周壁に設けられ、前記位置決め部材に係合するために、間隔をおいて複数の凹入部が形成された位置決めリングを備えることを特徴とする請求項１に記載の電源プラグ、を提供する。
【０００８】
本願の請求項３の考案は、前記各電極接触プレートが有する、前記蓋本体を貫通する電気接続突出部に電気接続される基板を有することを特徴とする請求項１又は請求項２に記載の電源プラグ、を提供する。
【０００９】
本願の請求項４の考案は、前記基板は、変圧回路、安定回路又は整流回路を有することを特徴とする請求項３に記載の電源プラグ、を提供する。
【００１０】
本願の請求項５の考案は、２つの電気接続部材と、２つの電極接触プレートと、２つのプラグ刃と、２つの貫通孔とを有することを特徴とする請求項３に記載の電源プラグ、を提供する。
【００１１】
本願の請求項６の考案は、３つの電気接続部材と、３つの電極接触プレートと、３つのプラグ刃と、３つの貫通孔とを有することを特徴とする請求項３に記載の電源プラグ、を提供する。
【考案の効果】
【００１２】
本考案は上記の課題を解決するものであり、主に以下の効果を有する。
１．各国の異なる規格に対応するプラグ部材に交換することができる。
２．前記回転部材をハウシング本体に対して回転させ、ハウシング本体の位置を適当に調整し、他のコンセントを塞がないようにすることができる。
【図面の簡単な説明】
【００１３】
【図１】本考案に係る電源プラグの分解斜視図である。
【図２Ａ】本考案に係る電源プラグのプラグ部材を示す斜視図である。
【図２Ｂ】本考案に係る電源プラグの他の形態のプラグ部材を示す斜視図である。
【図２Ｃ】本考案に係る電源プラグの他の形態のプラグ部材を示す斜視図である。
【図３】本考案に係る電源プラグの位置決め蓋を示す分解斜視図である。
【図４】本考案に係る電源プラグの一部を示す斜視図である。
【考案を実施するための最良の形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１は本考案に係る電源プラグの分解斜視図であり、図２Ａ乃至図２Ｃはそれぞれ本考案に係る電源プラグにおける異なる形態のプラグ部材を示す斜視図であり、図３は本考案に係る電源プラグにおける位置決め蓋の分解斜視図であり、図４は本考案に係る電源プラグの部分斜視図である。
【００１６】
図１に示すように、本考案に係る電源プラグは、ハウシングと、回転部材（２０）と、位置決め蓋（４０）と、プラグ部材（３０）と、基板（５０）とを有するものである。
【００１７】
前記ハウシングは、収容空間を有する如何なる形状としてもよいケースである。本考案の好ましい実施例においては、前記ハウシングは、ハウシング本体（１０）と、着脱可能に該ハウシング本体（１０）に結合される上蓋（６０）と、該ハウシング本体（１０）を貫通する円筒状の収容穴（１２）とを備える矩形の箱である。
前記ハウシング本体（１０）は、底部と、上部に形成される開口とを有し、前記収容穴（１２）は、前記ハウシング本体（１０）の底部を貫通するものである。尚、前記収容穴（１２）は、下端が前記ハウシング本体（１０）の底部から外部に突出する中空の円筒であってもよいが、円錐状の中空部材であってもよく、また、前記収容穴（１２）の内周壁における下端近傍に、内側に向かって突出する内フランジ（１２１）が設けられても構わない。前記上蓋（６０）は、前記ハウシング本体（１０）の上部の開口に適合する形状を呈し、該開口を封止できるものである。
また、本実施例において前記収容穴（１２）は、その内周壁における上端近傍に凹設される位置決め溝（１２２）と、該位置決め溝（１２２）に設けられると共に、一部が該収容穴（１２）の内周壁から内部に向かって突出する位置決め部材（１２４）とを備え、該位置決め部材（１２４）は、スプリングと、このスプリングの一端に取り付けられ、その一部が該収容穴（１２）の内部に向かって当接するボールとを有するものである。
【００１８】
更に、本実施例において、前記回転部材（２０）は、該収容穴（１２）に回転可能に取り付けられる円筒体であると共に、回転可能に前記収容穴（１２）に設置される回転部材本体（２１）と、該回転部材本体（２１）の底部における軸心の位置に穿設される接続孔（２３）と、間隔をおいて絶縁状態で該回転部材本体（２１）の上部に設けられると共に、リード（２４４）と、アーム（２４２）とを有する導体である２つの電気接続部材（２４）と、位置決めリング（２６）とを備えるものである。
また、前記アーム（２４２）は、前記回転部材本体（２１）の外周壁に向かって延出するプレート体であると共に、該アーム（２４２）の自由端には、上方へ向かって屈曲可能な可撓性を有する接触部が設けられる。
前記リード（２４４）は、前記回転部材本体（２１）の上部を貫通し、前記接続孔（２３）に挿入されるものである。
前記２つの電気接続部材（２４）のリード（２４４）は、互いに絶縁状態で平行に前記接続孔（２３）に配置されるものであり、該２つの電気接続部材（２４）のアーム（２４２）は、互いに異なる長さを有するものであるので、該２つのアーム（２４２）の接触部と前記回転部材本体（２１）の上部における軸心の位置との距離も、互いに異なるものである。このことから、前記回転部材本体（２１）が収容穴（１２）の内部において回転する時、前記２つのアーム（２４２）の接触部の経路は、同心円状となる。
【００１９】
前記位置決めリング（２６）は、前記回転部材（２０）における回転部材本体（２１）の外周壁に設けられ、前記位置決め部材（１２４）に係合するために、間隔をおいて複数の凹入部が形成されるものであり、該回転部材本体（２１）が前記収容穴（１２）に取り付けられる時には、、該凹入部が位置決め部材（１２４）と対応することから、該位置決め部材（１２４）に強固に係合することができる。故に、回転可能に該収容穴（１２）に設けられる回転部材本体（２１）を所定の角度又は方向に係止することができる。
【００２０】
図２Ａ乃至図２Ｃに示すように、プラグ部材（３０）は、連結部（３２）と、複数のプラグ刃（３４）とを備え、該連結部（３２）は夫々、リード（２４４）を挿入するための複数の貫通孔（３２２）を有し、その一部が前記接続孔（２３）に挿入されるものである。尚、該連結部（３２）は、該接続孔（２３）に対応する形状を呈し、該接続孔（２３）に着脱可能に挿入されるものであることが好ましい。更に、前記貫通孔（３２２）は、前記連結部（３２）の長手方向に沿って平行に形成されるものであり、それら各貫通穴（３２２）は夫々、形状的に且つ位置的に前記リード（２４４）に対応するものであるので、該連結部（３２）が前記接続孔（２３）に挿入された時、該リード（２４４）も各貫通孔（３２２）に挿入される。また、前記貫通孔（３２２）の内周壁に弾性を有する伝導スリーブまたはフェルールを設けることにより、該貫通孔（３２２）に夫々挿入された前記リード（２４４）と前記伝導スリーブまたはフェルールとを電気接続させることができる。
【００２１】
前記複数のプラグ刃（３４）は、互いに間隔をおいて絶縁状態で設けられると共に、夫々前記貫通孔（３２２）に対応的に挿入され、前記リード（２４４）に電気接続されるものである。尚、前記プラグ刃（３４）における貫通孔（３２２）から露出する部分の根元は、絶縁材料で被覆してもよく、また、前記貫通孔（３２２）の内周壁に弾性を有する伝導スリーブまたはフェルールが設けられる場合には、貫通孔（３２２）における、該プラグ刃（３４）が挿入される部分と前記伝導スリーブまたはフェルールとを電気接続させることにより、前記リード（２４４）に電気接続されてもよい。
また、図２Ａ乃至図２Ｃに示すように、使用時には、例えば英国、オーストラリア、米国など異なる国の規格に合うように設計されたプラグ刃（３４）を有する予め備えた複数のプラグ部材（３０）を用いて、異なる規格のコンセントに対して適合なプラグ部材（３０）に交換することができる。
【００２２】
図３及び図４に示すように、本実施例において前記位置決め蓋（４０）は、蓋本体（４２）と、大小２つの電極接触プレート（４４）とを備えるものであり、該蓋本体（４２）は、回転部材（２０）及び位置決め部材（１２４）を収容穴（１２）の内部に保持するために、該収容穴（１２）の上端に被嵌されるものであるので、前記蓋本体（４２）は収容穴（１２）に対応する形状を有することが好ましい。
前記大小２つの電極接触プレート（４４）は、互いに異なる径であり、同心円となるように前記蓋本体（４２）に設置されると共に、夫々前記電気接続部材（２４）の接触部と対応的に電気接続される。即ち、前記２つの電極接触プレート（４４）は、電気接続部材（２４）における接触部の経路に対応するものであり、前記回転部材本体（２１）が収容穴（１２）の内部で回転する時、持続的に前記電極接触プレート（４４）と電気接続する。
尚、本実施例において、前記各電極接触プレート（４４）は、前記蓋本体（４２）を貫通する電気接続突出部を有するものであることが好ましい。
【００２３】
また、本実施例において、前記基板（５０）は、前記ハウシング本体（１０）に収容できるサイズのＰＣＢであり、異なる国の規格に符合する変圧回路が形成されるもの、例えば、ワイヤや半田付けなどにより、前記２つの電気接続突出部に電気接続されるものであることが好ましい。さらに該基板（５０）と外部の電気製品とを電気接続させると、変圧回路により適した電圧を有する電気エネルギーを前記外部の電気製品に供給することができる。また、前記基板（５０）に変圧回路が形成されなくてもよい。この場合、前記外部の電気製品と前記電極接触プレート（４４）とを前記基板（５０）を介して電気接続させればよい。
【００２４】
本考案を使用する時は、例えば滞在国の規格に従って、適合なプラグ刃（３４）を有するプラグ部材（３０）の連結部（３２）を前記接続孔（２３）に挿入すれば、電気エネルギーが、前記プラグ刃（３４）、前記リード（２４４）、前記電極接触プレート（４４）を経て前記基板（５０）に流れた後、前記基板（５０）により変圧され、又は変圧されずに電気製品に供給される。
また、前記回転部材（２０）を回転させてハウシング本体（１０）に対する角度を変え、前記位置決め部材（１２４）と係合させれば、他の角度にて使用することもできる。
【００２５】
上述したように、前記第１実施例に係る電源プラグは、２つ口のコンセント（例えば単相２線式）に適合するものである。３つ口のコンセント（例えば単相３線式）に適用するための第２の実施例に係る電源プラグは、さらに異なる長さのアーム（２４２）を備える三つ目の電気接続部材（２４）を有するものである。また、この第２実施例に係る電源プラグは、前記３つのアーム（２４２）の接触部に接触する３つの電極接触プレート（４４）と、３つのリード（２４４）と、３つのプラグ刃（３４）を備えるプラグ部材（３０）とを有するものであることから、前記３つのプラグ刃（３４）を備えるプラグ部材（３０）を前記回転部材（２０）に取り付けると、この３つのプラグ刃（３４）を３つの電気接続部材（２４）と電気接続させることができるので、第２実施例に係る電源プラグは、前記開示した第１実施例に係る電源プラグと同じ効果を提供することができる。
【産業上の利用可能性】
【００２６】
本考案は上記の構成を有するので、少なくとも以下の効果を有する。
１．各国における異なる規格に合ったプラグ部材に交換することができる。
２．前記回転部材をハウシング本体に対して回転させ、ハウシング本体の位置を適当に調節することにより、他のコンセントが塞がってしまうことを防止することができる。
【符号の説明】
【００２７】
１０ ハウシング本体
１２ 収容穴
１２１ 内フランジ
１２２ 位置決め溝
１２４ 位置決め部材
２０ 回転部材
２１ 回転部材本体
２３ 接続孔
２４ 電気接続部材
２４２ アーム
２４４ リード
２６ 位置決めリング
３０ プラグ部材
３２２ 貫通孔
３４ プラグ刃
４０ 位置決め蓋
４２ 蓋本体
４４ 電極接触プレート
５０ 基板
６０ 上蓋
【図１】
0003149993.tif 000003
【図２Ａ】
0003149993.tif 000004
【図２Ｂ】
0003149993.tif 000005
【図２Ｃ】
0003149993.tif 000006
【図３】
0003149993.tif 000007
【図４】
0003149993.tif 000008